(57)【要約】【課題】            車椅子に座った身障者や高齢者が顔を洗うまた髭を剃る際に、車椅子に座った状態で無理のない姿勢でミラーを使用でき、且つ収納部に収納される化粧品、石鹸や歯磨き等を容易に取り出し使用できる洗面化粧台を提供する。【解決手段】        洗面ボール２が設けられる下部ユニット１と、下部ユニット１上部後方に設置され、メインミラー３ａが設けられるユニット本体３と、該ユニツト本体３の両側もしくはいずれかの側に設けられ、且つ収納部４ｂおよび前面にミラー４ａが設けられるミラーユニット４が設けられるとともに、前記ミラーユニット４が、ユニット本体３に対して前後方向に平行移動自在とする。【選択図】          図４
2006014920.tif 000002
【特許請求の範囲】
【請求項１】
洗面ボールが設けられる下部ユニットと、下部ユニット上部後方に設置され、メインミラーが設けられるユニット本体と、該ユニツト本体の両側もしくはいずれかの側に設けられ、且つ収納部および前面にミラーが設けられるミラーユニットが設けられるとともに、前記ミラーユニットが対ユニット本体に対して前後方向に平行移動自在とすることを特徴とする洗面化粧台。
【請求項２】
一端が洗面化粧台本体に回転自在に軸支され、他端がミラーユニット側に軸支される平行リンクと、一端が洗面化粧台本体に固定される第１の兆番と、他端がミラーユニット側に固定される第２の兆番と、前記それぞれの兆番の間に第３の兆番により連結される支持板を設けることを特徴とする請求項１記載の洗面化粧台。
【請求項３】
前記支持板が縦長板で構成されていることを特徴とする請求項２に記載の洗面化粧台。
【発明の詳細な説明】
【技術分野】
【０００１】
本発明は、車椅子に座った身障者や高齢者等が手や顔を洗ったり、髭を剃ったりする際に、車椅子に座った状態で容易に手や顔を洗ったり、髭を剃ったりすることができるようにした洗面化粧台に関する。
【背景技術】
【０００２】
従来におけるこの種の洗面化粧台は、使用者が手や顔を洗ったり、髭剃ったりするために使用するが、洗面化粧台の構成としては、手や顔を洗ったりする洗面ボールとその上部後方にメインのミラーが設けられるユニット本体、また前記ミラーの両側もしくはいずれかの側に前面にミラーが取付けられ且つ化粧品、石鹸や歯磨き等を収納する収納スペースを有するミラーユニットが設けられている洗面化粧台が一般である。
【０００３】
前記洗面化粧台の中でも、前記ユニット本体のミラーやミラーユニットに設けられるミラーがスライドするものはある。
たとえば、提示の特許文献に開示されているように、洗面ボールが設置されている洗面化粧台１のミラーは固定式のものであるが、右側に棚が設けられ、該棚の前面にスライドするミラーが設けられた（目的は相違するが）キャビネットが別に設置されているものはある。
【０００４】
【特許文献１】特開平１１−１９２１７３号
【発明の開示】
【発明が解決しようとする課題】
【０００５】
ところで、前記した洗面化粧台にあっては、健常者を対象にしたものがほとんどであり、健常者は立った状態で手や顔を洗ったり、髭をそったりすることができるが、身障者や高齢者等が車椅子に座った状態では非常に使用し難い状況がある。
【０００６】
たとえば、顔を洗った際の顔の確認や髭を剃る時などに髭の剃れ具合を視認する場合に顔をミラーに近づけて確認するようにしているが、車椅子に座っている身障者や高齢者等が顔の確認や髭の剃れ具合を確認する時は、洗面化粧台本体に設置されているミラーが固定式のものあるいは左右にスライドするものはあるものにあっては、立つことができないため確認できない。また背伸びしてもミラーから遠く確認できないなどの問題があった。
また化粧品、石鹸や歯磨き等を取り出すときなどは手を伸ばしても手が届かないなどの問題があった。
【０００７】
前記した特許文献に記載された洗面化粧台システムでは、車椅子に座った身障者や高齢者等が車椅子を方向転換してミラーで確認できるが、このように別のものを設置しなければならないという大掛かりなシステムとなり、一般の家庭や狭い場所など設置することは困難な状況がある。
従って、洗面ボールが設けられた洗面化粧台のみに設けられ使用できることが望まれていた。
【０００８】
本発明は前記した問題を解決せんとするもので、その目的とするところは、車椅子に座った身障者や高齢者が顔を洗うまた髭を剃る際に、車椅子に座った状態で無理のない姿勢でミラーを使用でき、且つ収納部に収納される化粧品、石鹸や歯磨き等を容易に取り出し使用できる洗面化粧台を提供せんとするにある。
【課題を解決するための手段】
【０００９】
本発明の洗面化粧台は、前記目的を達成せんとするもので、請求項１の手段は、洗面ボールが設けられる下部ユニットと、下部ユニット上部後方に設置され、メインミラーが設けられるユニット本体と、該ユニツト本体の両側もしくはいずれかの側に設けられ、且つ収納部および前面にミラーが設けられるミラーユニットが設けられるとともに、前記ミラーユニットが、ユニット本体に対して前後方向に平行移動自在とすることを特徴とする。
【００１０】
請求項２の手段は、前記した請求項１において、一端が洗面化粧台本体に回転自在に軸支され、他端がミラーユニット側に軸支される平行リンクと、一端が洗面化粧台本体に固定される第１の兆番と、他端がミラーユニット側に固定される第２の兆番と、前記それぞれの兆番の間に第３の兆番により連結される支持板を設ける。
【００１１】
請求項３の手段は、前記した請求項２において、前記支持板が縦長板で構成されていることを特徴とする。
【発明の効果】
【００１２】
身障者や高齢者等が本発明による洗面化粧台を使用することにより、車椅子に座った状態で、簡単に自らの手でミラーユニットを前方向へ平行移動することができ、顔の近くまで近づけることができるため、顔を洗った際の顔の確認や髭を剃った時などの顔の確認が容易にできるようになる。
またミラーユニットを前面に平行移動することによって、車椅子に座った状態でミラーユニットのミラーを容易に開閉することができ、収納棚に収納している化粧品や石鹸などを簡単に出し入れすることができる。
【発明を実施するための最良の形態】
【００１３】
本発明は、平行リンクとミラーユニットを支持する支持板を兆番により折り曲げし易いように構成することにより前記ミラーユニットを簡易に前後に移動するようにした洗面化粧台である。
【実施例１】
【００１４】
以下、本発明に係る洗面化粧台の一実施例を図面とともに説明する。
図１〜図３はミラーユニットが収容された状態を示す図面であり、図４〜図７はミラーユニットが前方へ移動した状態を示す図面である。
１は洗面化粧台の下部ユニットであり、該下部ユニット１の上部には洗面ボール２が設けられている。２ａは湯の温度を調整し湯を吐出されるための水栓金具、２ｂはシャワーヘッドである。
【００１５】
３はユニット本体であり、該下部ユニット１の上方後部に設けられる。該ユニット本体３の洗面ボール２側にはメインミラー２が設けられている。
４はミラーユニットであり、４ａは該ミラーユニット４の前面に設けられるミラーであり、４ｂはミラーユニット４内部に設けられ、化粧品、石鹸や歯磨き等を収納するための収納部である。
４ｃは前記収納部４ｂの裏面に固定される固定板である。４ｄはミラーユニット４を移動させるための取っ手である。
【００１６】
５は第１リンクであり、一端が前記ユニット本体３側の軸支点６で軸支され、他端は前記ミラーユニット４側の軸支点７で軸支されている。
８は第２リンクであり、一端が前記ユニット本体３側の軸支点９で軸支され、他端は前記ミラーユニット４側の軸支点１０で軸支されている。
１１は、一端がユニット本体３側に取付けられ、他端が後述する支持板１４に取付けられる第１の兆番である。１３は、一端がミラーユニット４側に取付けられ、他端が後述する支持板１５に取付けられる第２の兆番である。
【００１７】
１４および１５は、樹脂や木などで構成される縦長に設けられる支持板であり、第３の兆番１２で連結されている。
それぞれの兆番は上下に２以上設けられるかまたは上から下まで一体的な兆番でもよいが、図面で表示する番号は１つにして表示することとする。
【００１８】
以上の構成から、図１に示すミラーユニット４を収容した状態から、図４に示すミラーユニット４を前方へ平行移動させるときは、ミラーユニット４の下方部に設けられる取っ手４ｄを手前に引くと、ミラーユニット４は前方へ平行移動し、身障者や高齢者が車椅子に座った状態でミラーユニット４を使用でき、支持板１４、１５ならびに兆番１１、１２、１３で前方に平行移動する距離を大きくとっているため、車椅子に座った状態で、ミラーの近くで顔などを視認することができ、且つ車椅子に座った状態でミラーユニット４の内部に収納される化粧品、石鹸および歯磨き等を容易に取り出すことができる。
【図面の簡単な説明】
【００１９】
【図１】本発明に係るミラーユニットが収納された状態の洗面化粧台全体を示す斜視図である。
【図２】本発明に係るミラーユニットが収納された状態のミラーユニットを示す斜視図である。
【図３】本発明に係るミラーユニットが収納された状態のミラーユニットを示す横断面図である。
【図４】本発明に係るミラーユニットを前方へ移動した状態の洗面化粧台全体を示す斜視図である。
【図５】本発明に係るミラーユニットを前方へ移動した状態のミラーユニットを示す斜視図である。
【図６】本発明に係るミラーユニットを前方へ移動した状態のミラーユニットを示す縦断面図である。
【図７】本発明に係るミラーユニットを前方へ移動した状態のミラーユニットを示す横断面である。
【符号の説明】
【００２０】
１          下部ユニット
２          洗面ボール
３          ユニット本体
４          ミラーユニット
５、７      軸支点
８、１０    軸支点
６、９      リンク
１１        第１の兆番
１２        第３の兆番
１３        第２の兆番
１４、１５  支持板
【図１】
2006014920.tif 000003
【図２】
2006014920.tif 000004
【図３】
2006014920.tif 000005
【図４】
2006014920.tif 000006
【図５】
2006014920.tif 000007
【図６】
2006014920.tif 000008
【図７】
2006014920.tif 000009